(57)【要約】【課題】回収タンクの透明性を少しも損なわず優れたに除電性能を発揮する真空掃除機用の透明な回収タンクを提供する。【解決手段】真空吸引された回収物を貯留するための、真空掃除機用の透明な回収タンクであって、透明な可塑性材料を使用して、型成形によって形成されるタンク本体１１と、真空吸引された回収物によって回収タンクにもたらされる静電気を除去するために、タンク本体の内面に一部を露出して配置する除電部材１２とからなり、除電部材１２は透明な可塑性材料を型成形する成形機の金型にインサートしてタンク本体と一体化されている。【選択図】          図２
2008295784.tif 000002
【特許請求の範囲】
【請求項１】
真空吸引された回収物を貯留するための、真空掃除機用の透明な回収タンクであって、
透明な可塑性材料を使用して、型成形によって形成されるタンク本体と、
真空吸引された回収物によって回収タンクにもたらされる静電気を除去するために、タンク本体の内面に一部を露出して配置する除電部材とからなり、
除電部材は透明な可塑性材料を型成形する成形機の金型にインサートしてタンク本体と一体化されていることを特徴とする
真空掃除機用の透明な回収タンク。
【請求項２】
タンク本体は、透明な樹脂を可塑性材料として使用して、型成形によって形成されたものから成り、樹脂はポリエステル系の樹脂である請求項１記載の真空掃除機用の透明な回収タンク。
【請求項３】
除電部材は、ステンレス鋼線に代表される、導電性の金属線材から成り、上記金属線材を溶接してタンクの形状とほぼ同形のバスケット状に形成し、全体が１個の導電体として構成されている請求項１記載の真空掃除機用の透明な回収タンク。
【請求項４】
タンク本体はバケット状構造を有しており、バケットの口縁に相当する部分に除電部材が露出した構成を有している請求項１記載の真空掃除機用の透明な回収タンク。
【発明の詳細な説明】
【技術分野】
【０００１】
本発明は、真空吸引された回収物を貯留するための、真空掃除機用の透明な回収タンクに関するものである。
【背景技術】
【０００２】
現在、家電製品を中心として、樹脂成形品の透明化が進んでいる。これは、中身、或いは内部構造を外部から透視できるということから、使用者に安心感を与え、また加えて、好奇心を刺激することでもある。家庭用掃除機や工業用掃除機でも、回収タンクを透明にしたものは公知であるが、静電気の発生を抑制したり除電を行なったりするものは知られていない。
【０００３】
しかしながら、真空吸引によりごみを回収する掃除機の場合には、真空吸引された回収物によって回収タンクにもたらされる静電気対策が問題となる。帯電量は、吸引力に比例するので、工業用の場合には家庭用の比ではなく、触れると同時にビリッと来る電撃は不快なものである。帯電を防止するには、透明樹脂の場合、カーボン等の除電材（帯電防止剤）を混ぜ合わせればよい。しかし十分な除電効果を得ようとするならば、十分な量の除電材を混合しなければならず、その結果樹脂の透明性が失われ白濁することとなる。別の除電対策としては、アース線の接続による放電などがある。しかしそれではアース線部分しか除電できず、有効な対策は難しい。
【０００４】
なお、この種のものの除電対策に関する技術としては、例えば特開２００２−２００３１４号があり、同号の発明では前半部分にてパチンコ球が接触する内部に半導電性合成樹脂を設けて第１段階の緩やかな除電を行い、後半部分では内部に導電性部材を設けて完全な除電を行なっている。しかし、球供給樋のように明確な帯電部分のある場合は良いが、回収タンクの場合にはそのようなものがないので、参考にならない。
【０００５】
【特許文献１】特開２００２−２００３１４号
【発明の開示】
【発明が解決しようとする課題】
【０００６】
本発明は前記の点に着目してなされたものであり、その課題は、優れた除電性能を有する真空掃除機用の透明な回収タンクを提供することである。また、本発明の他の課題は、回収タンクの透明性を少しも損なわず優れたに除電性能を発揮する真空掃除機用の透明な回収タンクを提供することである。
【課題を解決するための手段】
【０００７】
前記の課題を解決するため、本発明は、真空吸引された回収物を貯留するための、真空掃除機用の透明な回収タンクとして、透明な可塑性材料を使用して、型成形によって形成されるタンク本体と、真空吸引された回収物によって回収タンクにもたらされる静電気を除去するために、タンク本体の内面に一部を露出して配置する除電部材とから成り、除電部材は透明な可塑性材料を型成形する成形機の金型にインサートしてタンク本体と一体化するという手段を講じたものである。
【０００８】
本発明の対象となる回収タンクは、真空吸引された回収物を貯留するための、真空掃除機用の透明なタンクである。このタンクには様々な形態のものがあり、本発明は同様なものにも適用することができるが、工業用掃除機の回収タンクとして最も一般的なものは、下すぼまりのバケット型、ないしは円筒型であり、共に上端が開口していて、その口縁において掃除機の吸引機部に接続する構造である。
【０００９】
本発明に係る回収タンクは、透明な可塑性材料を使用して、型成形によって形成されるタンク本体を備えている。この種の可塑性材料として最も一般的であるのは透明な樹脂である（請求項２記載の発明）。本発明においてタンク本体を構成する材料としては、透明な素材であって、所用の強度、耐油性等のタンクに必要とされる物性を備えているものであれば、基本的にはどれでも使用することができる。しかし、上記の条件を満たし得るものは多くなく、樹脂としては例えばポリエステル系のもの、特に、コポリエステルが最良である。
【００１０】
真空吸引された回収物によって回収タンクにもたらされる静電気を除去するために、本発明においては、タンク本体の内面に一部を露出して配置する除電部材を組み合わせる。除電部材はタンク本体の内面に露出する部分が多いほど良好な除電効果を発揮するものである。このため除電部材は、ステンレス鋼線に代表される、導電性の金属線材から成り、上記金属線材を溶接してタンクの形状とほぼ同形のバスケット状に形成し、全体が１個の導電体として構成されているものとすることにより除電効果が向上する（請求項３記載の発明）。バスケット状の除電部材により、底部から全周囲にかけて回収タンク内部のほぼ全体が囲まれる形態となり、むらなく除電できるからである。
【００１１】
このような除電部材は、透明な可塑性材料を型成形する成形機の金型に除電部材をインサートしてタンク本体と一体化して、回収タンクを構成する。除電部材は、その一部を露出させること、好ましくは外周部分の３分の１ほどが露出するように設定すると、良好な結果を得ることができる。インサート成形による一体化構成によりタンク本体の構造強度も除電効果もともに向上する。
【００１２】
タンク本体がバケット状構造を有している場合において、バケットの口縁に相当する部分に除電部材が露出した構成を有していることは望ましい形態である（請求項４記載の発明）。バケットの口縁に相当する部分は、真空掃除機の吸引機部との接続部分であり、吸引機部側の金属肌との接触により速やかな除電効果を得ることができるからである。同様の思考法から、除電部材の一部をタンク本体の外面にまで配置した場合には、タンクを掃除機本体の金属部分により接触させ易くなると考えられる。
【発明の効果】
【００１３】
本発明は以上のように構成されかつ作用するものであるから、真空掃除機において、静電気が真空吸引された回収物によって回収タンクにもたらされると同時に、これを除電部材により除去できるという優れた除電性能を発揮することができるという効果を奏する。また、本発明によれば、タンク本体に除電材を混合しないので、回収タンクの透明性を少しも損なわず優れたに除電性能を発揮する真空掃除機用の透明な回収タンクを提供することができる。
【発明を実施するための最良の形態】
【００１４】
以下図示の実施形態を参照しつつ本発明をより詳細に説明する。図１は、本発明に係る真空掃除機用の透明な回収タンク１０を示しており、この回収タンク１０は、やや下すぼまりの円筒形即ちバケット型を有するタンク本体１１と、タンク本体１１の内面に一部を露出して配置する除電部材１２とから成っている（図２参照）。
【００１５】
タンク本体１１は、透明な樹脂としてコポリエステル（Ｐｏｌｙ  ｃｙｃｌｏ−ｈｅｘｙｌｅｎｅ  ｄｉｍｅｔｈｙｌ  ｔｅｌｅｐｈｔａｌａｔｅ）を使用する。例示の場合はイーストマン化学会社（Ｅａｓｔｍａｎ  Ｃｈｅｍｉｃａｌ  Ｃｏｍｐａｎｙ）製のコポリエステル「イースターＤＮ１１（ＥＡＳＴＥＲ  Ｃｏｐｏｌｙｅｓｔｅｒ  ＤＮ１１）」を透明な樹脂として使用し、射出成形機を用いて上記のバケット形状に型成形したものである。
【００１６】
除電部材１２は、ステンレス鋼線を使用して形成した上下の大小円形枠１３、１４と、それらの円形枠１３、１４をほぼＬ字型の側面枠１５を４個使用し、これらを溶接してタンクの形状と相似形のバスケット状に形成したもので、全体が１個の導電体として構成されている（図３参照）。上記大径の円形枠１３はタンク本体の口縁に配置され、小径の円形枠１４はタンク本体の底面中央部に配置され、ほぼＬ字型の側面枠１５は上下の大小円形枠１３、１４の円周を４等分する位置に配置されている。１５′は側面枠上端の位置を示す。
【００１７】
このような除電部材１２は、射出成形機の金型内部に固定し、上記樹脂の射出によりタンク本体１１と一体にインサート成形されている（図４参照）。インサート成形による除電部材のタンク本体１１との一体化のために、図示の例では上部の大小円形枠１３、１４と、ほぼＬ字型の側面枠１５の配置される位置に合わせて夫々大径の円形口縁部分１６、底部に設けた小径の肉厚部分１７と、これらと交差するＬ字型リブ１８を設けており、各部分１６、１８の内面側と底部肉厚部分１７の外周部分に除電部材１２が周囲のほぼ３分の１を露出させて配置されている（図２参照）。
【００１８】
このようにして除電部材１２は、タンク本体の内面に一部を露出して配置され、真空吸引された回収物によって回収タンクにもたらされる静電気と接触する構成である。除電部材１２の上端部１９はタンク本体外方へ向かって曲げられ、タンク本体樹脂から露出し、外部の導電性部分と接触可能になっている。また、図示していないが、タンク本体１１の口縁部に一部が露出する円形枠を除電部材１２の上端部１９に溶接することもある。
【００１９】
なおタンク本体１１の底面には、大小の環状リブ２０ａ、２０ｂ、２０ｃと、多数の放射状リブ２１及び外周から内方へ向かって部分的に設けた部分リブ２２が設けられ、構造強度を補強している。２３は取っ手、２４はスタッキングフィン、をそれぞれ示しており、タンク本体１１の外面に設けて、本発明に係る回収タンク１０を使用する作業の利便性向上を図っている。
【００２０】
本発明に係る透明な回収タンク１０は、図６に示すように、真空掃除機２５に装着して使用する。例示した真空掃除機２５は台車２６に上下移動可能に取り付けた吸引機部２７
を有しており、回収タンク１０は台車下部の載置部２８にセットして使用する。
【００２１】
このように構成された本発明に係る真空掃除機用の透明な回収タンク１０を使用することにより、真空掃除機２５の作動で回収物が吸引され、静電気が回収タンク内に持ち込まれると、タンク内面には除電部材１２がその一部を露出させた状態で、全体においてほぼ均等に配置されているので、直ちに除電されることになる。すなわち、除電部材１２は真空掃除機２５の吸引機部２７など金属部分に接触しており、また、真空掃除機２５は電源コードにより設置されているので、完全な除電が可能になる。
【００２２】
なお、本発明の開発過程において行なった実験によれば、２０〜３０ＫＶの静電気が発生している場合に、本発明の装置により、１ＫＶ未満に静電気が抑制されることを確認することができた。この除電効果は、人体に電撃を感じさせる恐れのないレベルであり、この真空掃除機２５は心配ないとの安心感を与えることができる。
【図面の簡単な説明】
【００２３】
【図１】本発明に係る真空掃除機用の透明な回収タンクの一例を示すもので、Ａは回収タンク本体単独の平面図、Ｂは同じく正面図。
【図２】同上のタンクの全体を示すもので、Ａは平面図、Ｂは断面図。
【図３】同じく除電部材の一例を示すもので、Ａは平面図、Ｂは正面図。
【図４】同じく回収タンクを示すもので、ＡはＬ字型リブを通る箇所の断面図、Ｂは部分リブを通る箇所の断面図。
【図５】本発明に係る回収タンクの外観を示すものでＡは正面図、Ｂは底面図。
【図６】本発明に係る回収タンクを使用する真空掃除機の側面図。
【符号の説明】
【００２４】
１０  回収タンク
１１  タンク本体
１２  除電部材
１３  大円形枠
１４  小円形枠
１５  ほぼＬ字型の側面枠
１６  円形口縁部分
１７  底部肉厚部分
１８  Ｌ字型リブ
１９  上端部
２０ａ、２０ｂ、２０ｃ  大小の環状リブ
２１  放射状リブ
２２  部分リブ
２３  取っ手
２４  スタッキングフィン
２５  真空掃除機
２６  台車
２７  吸引機部
２８  載置部
【図１】
2008295784.tif 000003
【図２】
2008295784.tif 000004
【図３】
2008295784.tif 000005
【図４】
2008295784.tif 000006
【図５】
2008295784.tif 000007
【図６】
2008295784.tif 000008